(57)【要約】【課題】浴室内の実際の室温に基づき浴室内の照明状態を変化させることで、入浴者が浴室内の室温を認識した状態で最適室温の浴室内に入ることができて、快適な入浴を可能にし得る浴室照明装置を提供する。【解決手段】浴室内の室温を検知する室温検知手段と、浴室内に設けられた調光可能な照明手段と、室温検知手段で検知された検知信号に基づいて照明手段の調光を制御する制御手段と、を備える。前記照明手段は、少なくとも暖色系と寒色系の照明に調光可能であり、制御手段は、室温検知手段で検知された室温が予め設定した基準値より低い場合に照明手段を寒色系で照明させ、室温検知手段で検知された室温が基準値より高い場合に照明手段を暖色系で照明させる。【選択図】  図２
2004220992.tif 000002
【特許請求の範囲】
【請求項１】
浴室内の室温を検知する室温検知手段と、浴室内に設けられた調光可能な照明手段と、前記室温検知手段で検知された室温に基づいて前記照明手段の調光を制御する制御手段と、を備えることを特徴とする浴室照明装置。
【請求項２】
前記照明手段は、少なくとも暖色系と寒色系の照明に調光可能であり、前記制御手段は、室温検知手段で検知された室温が予め設定した基準値より低い場合に照明手段を寒色系で照明させ、室温検知手段で検知された室温が基準値より高い場合に照明手段を暖色系で照明させることを特徴とする請求項１に記載の浴室照明装置。
【請求項３】
前記制御手段は、室温検知手段で検知された室温に基づいて、照明手段を段階的に変化するように調光するかもしくは連続的に変化するように調光することを特徴とする請求項１または２に記載の浴室照明装置。
【請求項４】
前記室温検知手段は、浴室の壁面に設けられて前記照明手段をオン・オフ操作し得るリモコンに一体的に設けられていることを特徴とする請求項１ないし３のいずれかに記載の浴室照明装置。
【請求項５】
前記照明手段は、浴槽内に光を照射してその反射光を浴室壁面や浴室天井に写し出す照明装置であることを特徴とする請求項１ないし４のいずれかに記載の浴室照明装置。
【請求項６】
前記制御手段は、室温検知手段で検知された室温に基づき、前記照明手段の作動と関連付けて浴室内に設置される暖房手段を作動させることを特徴とする請求項１ないし５のいずれかに記載の浴室照明装置。
【発明の詳細な説明】
【０００１】
【発明の属する技術分野】
本発明は、例えばユニットバスルーム等の浴室の照明装置に係わり、特に、浴室内の室温に基づき照明装置の調光を制御し得る浴室照明装置に関する。
【０００２】
【従来の技術】
従来、特許文献１に示すように、浴室内に空調装置、照明装置及び床暖房装置を配置し、これらを制御装置によって連動させる浴室が提案されている。そして、この浴室においては、照明装置として寒色系照明と暖色系照明とを備え、この両照明の明るさや色を、各装置に設けた操作つまみの操作に連動させることにより変化させて、各装置の操作性の向上を図ると共に浴室内の雰囲気を向上させるようにしたものである。
【０００３】
【特許文献１】
特開平５−２１４８２２号公報
【０００４】
【発明が解決しようとする課題】
しかしながら、このような浴室においては、各装置に設けた操作つまみに連動して照明装置の寒色系照明や暖色系照明の明るさや色を単に変化させるのみであることから、浴室内の雰囲気の向上等は図れるものの、浴室内の実際の室温を入浴者に浴室外から認識させることが困難である。そのため、例えば床暖房装置による浴室内の暖房に時間がかかる冬場等において、浴室内が十分に暖まっていないにも係わらず入浴者が誤って浴室内に入ってしまう場合があり、入浴者が季節に係わらず最適室温状態の浴室内に入って快適に入浴することが難しいという問題点を有している。
【０００５】
本発明は、このような事情に鑑みてなされたもので、その目的は、浴室内の実際の室温に基づき浴室内の照明状態を変化させることで、入浴者が浴室内の室温を認識しつつ最適室温の浴室内に入ることができて、快適な入浴を可能にし得る浴室照明装置を提供することにある。
【０００６】
【課題を解決するための手段】
かかる目的を達成すべく、本発明のうち請求項１に記載の発明は、浴室内の室温を検知する室温検知手段と、浴室内に設けられた調光可能な照明手段と、前記室温検知手段で検知された室温に基づいて前記照明手段の調光を制御する制御手段と、を備えることを特徴とする。
【０００７】
このように構成することにより、浴室内の室温が室温検知手段で検知されてその検知信号が制御手段に入力されると、制御手段は検知信号に基づいて浴室内に設けられた照明手段の照明状態を変化させ、室温に応じた明るさや色等に設定する。そして、この照明状態が入浴者により浴室外から視認（認識）されることから、最適室温の時に入浴者が浴室内に入って入浴することが可能になる。
【０００８】
そして、前記照明手段は、請求項２に記載の発明のように、少なくとも暖色系と寒色系の照明に調光可能であり、前記制御手段は、室温検知手段で検知された室温が予め設定した基準値より低い場合に照明手段を寒色系で照明させ、室温検知手段で検知された室温が基準値より高い場合に照明手段を暖色系で照明させることが好ましい。このように構成することにより、検知された室温が制御手段により予め設定した基準値と比較されて照明手段の照明が寒色系か暖色系に設定されることから、異なる系色の光で浴室内の室温の視認をより確実に行うことができる。
【０００９】
また、前記制御手段は、請求項３に記載の発明のように、室温検知手段で検知された室温に基づいて、照明手段を段階的に変化するように調光するかもしくは連続的に変化するように調光することが好ましい。このように構成することにより、照明手段の調光状態が検知された室温に基づいて段階的あるいは連続的に変化することから、照明手段の照明状態、すなわち浴室内の室温を入浴者が確実かつ容易に認識できる。
【００１０】
また、前記室温検知手段は、請求項４に記載の発明のように、浴室の壁面に設けられて前記照明手段をオン・オフ操作し得るリモコンに一体的に設けられていることが好ましい。このように構成することにより、照明手段を操作し得るリモコンに室温検知手段が一体的に設けられることから、室温検知手段で浴室内の最適位置の室温を検知できて、入浴者が浴室へ入る際の室温を最適温度とすることができる。
【００１１】
また、前記照明手段は、請求項５に記載の発明のように、浴槽内に光を照射してその反射光を浴室壁面や浴室天井に写し出す照明装置であることが好ましい。このように構成することにより、室温に基づいて調光される照明手段として浴槽内にその光が照射される照明装置が使用され、検知された室温に応じて浴室壁面等に写し出される反射光の明るさや色等が変化することから、例えば雰囲気演出用の照明装置を有効活用しつつ、浴室内の照明状態を脱衣場等にいる入浴者がより一層確実かつ容易に認識できる。
【００１２】
また、前記制御手段は、請求項６に記載の発明のように、室温検知手段で検知された室温に基づき、前記照明手段の作動と関連付けて浴室内に設置される暖房手段を作動させることが好ましい。このように構成することにより、浴室内に設置される蒸気発生装置等の暖房手段の作動が室温に基づき照明手段と関連付けられることから、室温に応じて暖房手段を作動させつつ照明手段の照明状態を制御できて、装置の操作性の向上が図れると共に室温管理が効率的に行える。
【００１３】
【発明の実施の形態】
以下、本発明の実施の形態を図面に基づいて詳細に説明する。
図１〜図６は、本発明に係わる浴室照明装置の一実施形態を示し、図１が該照明装置を使用した浴室の概略構成図、図２がそのブロック図、図３がリモコンの分解斜視図、図４がリモコンのブロック図、図５が基本的動作の一例を示すフローチャート、図６がその説明図である。
【００１４】
図１において、システムバスルーム等の浴室１は、防水パン２と、４枚の浴室壁面としての壁パネル３ａ〜３ｄ及び例えば浴室天井としてのドーム型の天井パネル４によって略箱状に形成され、前記防水パン２の壁パネル３ａ側には浴槽５が設置されると共に、この浴槽５の側方の防水パン２上には洗い場６が設けられている。また、洗い場６の壁パネル３ｂ側には、その下部に吹出口８が形成されたカウンター７が設けられ、このカウンター７上方の壁パネル３ｂには、水栓９、シャワー１０、ミラー１１、主照明装置１２、収納棚１３等が一体的に組み込まれたミラーパネル１４が配置されている。
【００１５】
さらに、浴室１には、照明手段としてのスポットライト照明装置１５が設けられている。このスポットライト照明装置１５は、例えば光の明るさや色具合を調整して寒色系と暖色系の光に調光可能なハロゲンランプを有し、浴槽５上方の天井パネル４の傾斜する対向位置にそれぞれ配置されて、そのスポットライトが浴槽５内に照射されるようになっている。そして、このスポットライト照明装置１５は、例えば天井パネル４の外面に配置された制御手段として制御装置１６に接続されている。
【００１６】
なお、浴室１の壁パネル３ｄの下部側で浴槽５の上縁より上方位置にはリモコン１７が配置され、壁パネル３ｃには浴室出入り用の透光性の浴室ドア１８が設けられると共に、該浴室ドア１８側方の壁パネル３ｃの外面には、スポットライト照明装置１５をオン・オフ操作する照明スイッチ１９あるいは前記主照明装置１２をオン・オフ操作する図示しない主照明スイッチ等が配置されている。
【００１７】
そして、図２に示すように、前記制御装置１６は、マイコン２０、電源ユニット２１等を有し、主照明装置１２、２個のスポットライト照明装置１５、リモコン１７及びカウンター７内に配置され吹出口８から浴室１内にミストやドライな温風を吹き出すことが可能な蒸気発生装置２２が接続されると共に、前記照明スイッチ１９等が接続されている。また、リモコン１７には、サーミスタ等からなる温度センサ２３が接続され、この温度センサ２３は、図３に示すように、浴室１の壁パネル３ｄに配置されたリモコン１７の本体１７ａに一体的に取り付けられ、温度センサ２３の前面にカバー１７ｂのスリット２４が位置して、温度センサ２３の表面（温度検知部）が常時浴室１内に露出するようになっている。
【００１８】
また、リモコン１７は、図４に示すように、温度センサ２３からの検知信号を整流するダイオード２５とマイコン２６及び通信回路２７を有し、温度センサ２３で検知された検知信号をマイコン２６等で適宜に処理して、検知された室温に基づく信号（室温信号）を制御装置１６に無線もしくは有線で送信するようになっている。そして、このリモコン１７、制御装置１６、スポットライト照明装置１５等によって本発明の浴室照明装置が構成されている。
【００１９】
図５は、このように構成された浴室照明装置の基本的動作の一例を示すフローチャートである。なお、このフローチャートは制御装置１６のマイコン２０（もしくはリモコン１７のマイコン２６）に予め設定されたプログラムに従って自動的に実行される。先ず、例えば照明スイッチ１９がオンされるとプログラムが開始（Ｓ１００）され、リモコン１７に設けられた温度センサ２３の検知温度Ｔｉがリモコン１７のマイコン２６に読み込まれる（Ｓ１０１）。
【００２０】
そして、マイコン１７でこの読み込んだ検知温度Ｔｉに対応した前記室温信号が決定され、この室温信号がリモコン１７の通信回路２７から制御装置１６に送信され、制御装置１６はこの送信された室温信号に基づき照明信号を出力（Ｓ１０２）してスポットライト照明装置１５を点灯させる。この時、制御装置１６は、電源ユニット２１からスポットライト照明装置１５に、照明信号に応じた例えば電流値を供給することで、調光可能なハロゲンランプが所定の明るさや色となり、これが浴槽５内の水面に照射される。
【００２１】
この浴槽５の水面に照射された光は、水面で反射されて浴室１の壁パネル３ａ〜３ｄや天井パネル４に写し出されて浴室１内に反射光による所定の照明状態が得られる。この照明状態を、浴室１の浴室ドア１８から脱衣場にいる入浴者や家族等が視認することにより、浴室１内の現在の室温が照明状態によって認識される。したがって、スポットライト照明装置１５のスポットライトの光を寒色系か暖色系かに調光可能に構成することで、入浴者が浴室１内の照明状態によってその室温を認識できることになる。
【００２２】
このようにステップＳ１０２で出力された照明信号に基づいてスポットライト照明装置１５が所定状態で点灯すると、制御装置１６によりリモコン１７に設けられたスポットライト照明装置１５用の操作スイッチ（図示せず）がオフしたか否かが判断（Ｓ１０３）される。この判断Ｓ１０３で「ＮＯ」の場合、すなわち、まだ入浴者が浴室１内に入らずリモコン１７の操作スイッチがオフ操作されない場合は、ステップＳ１０１に戻り温度センサ２３の室温を再び読み込みんでステップＳ１０２以降を繰り返す。また、判断Ｓ１０３で「ＹＥＳ」の場合、すなわち入浴者が浴室内に入りリモコン１７の操作スイッチをオフ操作した場合は、一連のプログラムを終了（Ｓ１０４）する。
【００２３】
これにより、例えばスポットライト照明装置１５の点灯に連動させて前記蒸気発生装置２２を作動させることにより、図６（ａ）に示すように、スポットライト照明装置１５のスポットライトの明るさや色の変化が、蒸気発生装置２２の作動による浴室１内の室温の上昇に連動して寒色系から暖色系に連続的に変化し、この色の変化を透光性の浴室ドア１８を介して入浴者等が浴室１外から認識することで、浴室１内の室温を把握することが可能になる。
【００２４】
なお、この例では、図５に示す室温検知プログラムが、照明スイッチ１９のオン操作により開始され、リモコン１７に設けられたスポットライト照明装置１５用の操作スイッチのオフ操作により終了するようにしたが、例えば浴室１の壁パネル３ｃ外側に設けられる主照明スイッチやその他適宜のスイッチのオン操作により室温検知プログラムを開始させたり、浴室１内のリモコン１７に設けた専用の終了スイッチのオフ（もしくはオン）操作により、室温検知プログラムを終了させるようにしても良い。
【００２５】
このように、上記実施形態の浴室１にあっては、浴室１内の室温を検知する温度センサ２３を設け、この温度センサ２３の検知信号に基づいて調光可能なスポットライト照明装置１５のスポットライトの色を寒色系から暖色系まで変化するように構成しているため、浴室１内において浴槽５の水面に照射されるスポットライトやその反射光の色によって浴室１内の室温を例えば入浴者等が浴室１外から認識でき、浴室１内の室温が最適室温の時に浴室１に入ることができる。その結果、例えば冬場等に蒸気発生装置２２による暖房状態が十分でないにも係わらず、裸の入浴者が浴室１内の室温を誤認して浴室１内に入って温度ショックを受けること等がなくなり、入浴者が季節に係わらず最適室温の浴室１に容易に入ることが可能となる。
【００２６】
また、浴室１内の室温が、入浴者による使用頻度が高く比較的操作し易い位置の壁パネル３ｄに配置されたリモコン１７の温度センサ２３で検知されるため、入浴者が浴室１内で比較的長くいる場所の室温を検知できると共に、温度センサ２３がリモコン１７に一体的に設けられると共に、カバー１７ｂに設けられたスリット２４によって温度センサ２３の表面が浴室１外に常時露出しているため、浴室１内の室温を精度良く検知できる。また、スポットライト照明装置１５が寒色系から暖色系まで調光可能に構成されているため、検知された室温に基づいた照明状態を容易に得ることができ、これらのことから、浴室１内に室温に応じた照明状態を確実に演出することが可能になる。
【００２７】
さらに、温度センサ２３がリモコン１７に一体化されているため、温度センサ２３に接続された電線の配線を最短距離で簡単に行うことができ、配線の簡素化が図れると共にその設置を容易に行うことができる。また、浴室１の入口となる壁パネル３ｃの外側に設けた照明スイッチ１９をオン操作することにより、スポットライト照明装置１５を点灯させて室温検知プログラムを開始させ、リモコン１７に設けられたスポットライト照明装置１５用の操作スイッチをオフ操作させることにより、室温検知プログラムが終了するように構成されているため、照明スイッチ１９の操作により温度センサ２３が室温を自動的に検知してその状態をスポットライトを介して入浴者に認識させることができ、複雑な操作が不要となって操作性に優れた浴室照明装置を得ることが可能になる。
【００２８】
また、浴槽５の水面にスポットライトを照射するスポットライト照明装置１５を室温認識用の照明手段として使用しているため、新たな照明装置を設置することなく、浴室１内に光による幻想的な雰囲気を醸し出すスポットライト照明装置１５のスポットライトを有効活用しつつ、その光により入浴者が室温を確実に認識できる。特に、スポットライトの反射光が浴槽５の水面で揺らいでその状態が無限に変化するため、室温に応じて変化する光により、演出効果をより一層向上させることもでき、付加価値を高めかつ使い勝手に優れた浴室１を得ることが可能になる。
【００２９】
図７及び図８は、本発明に係わる浴室照明装置の他の動作例を示すフローチャートである。以下、これについて説明する。先ず、図７に示すフローチャートの特徴は、室温に基づく浴室１内の照明状態をそれぞれ所定色の寒色系と暖色系の２段階に設定するようにしたものである。すなわち、室温検知プログラムが開始（Ｓ１００）されると、温度センサ２３で検知された検知温度Ｔｉが読み込まれ（Ｓ１０１）、この読み込んだ検知温度Ｔｉと例えばリモコン１７に設けられた図示しない設定スイッチで入力されて制御装置１６のマイコン２０等に予め記憶された基準温度Ｔｓとが比較され、検知温度Ｔｉが基準温度Ｔｓ未満か否かが判断（Ｓ２０１）される。
【００３０】
この判断Ｓ２０１で「ＮＯ」の場合、すなわち照明スイッチ１９のオン操作と連動した蒸気発生装置２２の作動で浴室１内が暖められその検知温度Ｔｉが基準温度Ｔｓ以上まで上昇した場合は、スポットライト照明装置１５のスポットライトが暖色系の光となるように暖色系の照明信号が制御装置１６からスポットライト照明装置１５に出力（Ｓ２０３）される。一方、判断Ｓ２０１で「ＹＥＳ」の場合、すなわち蒸気発生装置２２が作動しても時間が短く浴室１内の温度がまだ基準温度Ｔｓまで達していない場合は、スポットライト照明装置１５のスポットライトが寒色系の光となるように寒色系の照明信号が制御装置１６からスポットライト照明装置１５に出力（Ｓ２０２）される。
【００３１】
このステップＳ２０２で寒色系の照明信号が出力されると、スポットライト照明装置１５のスポットライトが白色や水色等の寒色系の光となり、この光が浴槽５に照射されてその水面で反射され、浴室１内の壁パネル３ａ〜３ｄや天井パネル４に写し出される。この光の状態を浴室１の浴室ドア１８から例えば脱衣場にいる入浴者や家族が視認することにより、浴室１内の室温がまだ十分に暖まっていないことが認識され、実際の室温を誤認して入浴者が浴室１内に入ってしまうことが防止される。
【００３２】
また、ステップＳ２０３で暖色系の照明信号が出力されると、スポットライト照明装置１５のスポットライトが黄色や橙色等の暖色系の光となり、この光が浴槽５に照射されてその水面で反射され、浴室１内の壁パネル３ａ〜３ｄや天井パネル４に写し出され、この光の状態を入浴者等が視認することにより、浴室１内の室温が所定温度まで上昇し十分に暖まったことが認識されて、この状態で入浴者が浴室１内に入ることができる。
【００３３】
この時、制御装置１６からスポットライト照明装置１５に出力される照明信号は、図６（ｂ）に示すように、寒色系と暖色系の２段階（あるいは寒色系や暖色系自体を複数にした複数段階）に設定されたり、図６（ｃ）に示すように、寒色系と暖色系の範囲内において連続状態として、寒色系と暖色系の間が段階状に設定される。これにより、寒色系と暖色系の境を入浴者等が明瞭に認識できることになる。
【００３４】
そして、図７に示すように、暖色系あるいは寒色系の照明信号が制御装置１６から出力されると、図６と同様に、リモコン１７のスポットライト照明装置１５用の操作スイッチがオフ操作されたか否かが判断（Ｓ１０３）され、ステップＳ１０１に戻り温度センサ２３の室温を再び読み込むか、あるいは一連の室温検知プログラムを終了（Ｓ１０４）する。
【００３５】
この例においても、温度センサ２３で検知された室温に基づいてスポットライト照明装置１５のスポットライトの照明状態が変化するため、上記例と同様の作用効果が得られる他に、スポットライトの照明状態が寒色系と暖色系の２段階となるため、例えば寒色系として水色を使用し暖色系として橙色を使用することで、色の違いを明瞭にすることができ、室温に基づく浴室１内の照明状態の違いを入浴者等に一層明確に認識させ得るという作用効果が得られる。
【００３６】
また、図８に示すフローチャートの特徴は、浴室照明装置の作動を検知した室温に基づいて蒸気発生装置２２と連動させるようにした点にある。すなわち、室温検知ブログラムが開始（Ｓ１００）されると、温度センサ２３で検知された検知温度Ｔｉが読み込まれ（Ｓ１０１）、この検知温度Ｔｉが制御装置１６に予め設定された前記基準温度Ｔｓとは異なる第２の基準温度Ｔｓ１と比較されて、検知温度Ｔｉが第２の基準温度Ｔｓ１以上か否かが判断（Ｓ３０１）される。この時、第２の基準温度Ｔｓ１は、前記基準温度Ｔｓより低い温度に設定され、例えば冬場は低く夏場は高くなるように季節に応じて異なるように設定されることが好ましい。
【００３７】
そして、この判断Ｓ３０１で「ＮＯ」の場合、すなわち浴室１内の室温が低く暖房する必要がある場合は、制御装置１６から蒸気発生装置２２に作動信号を出力して蒸気発生装置２２を作動（Ｓ３０２）させる。この蒸気発生装置２２の作動で、カウンター７下部の吹出口８から高温高湿のミストやドライな温風が浴室１内に吹き出されて浴室１内が暖房される。一方、判断Ｓ３０１で「ＹＥＳ」の場合、すなわち浴室１内の検知温度Ｔｉが蒸気発生装置２２の作動で第２の基準温度Ｔｓ１以上の場合は、検知温度Ｔｉが前記基準温度Ｔｓ未満か否かが判断（Ｓ２０１）され、この判断結果に基づいて例えば図５のステップＳ２０１〜Ｓ２０３と同様に、スポットライト照明装置１５のスポットライトが寒色系あるいは暖色系に設定される。
【００３８】
また、リモコン１７のスポットライト照明装置１５用の操作スイッチがオフ操作されて、判断Ｓ１０３で「ＹＥＳ」になると、制御装置１６から蒸気発生装置２２に停止信号を出力して蒸気発生装置２２の作動を停止（Ｓ３０３）させて、一連のプログラムを終了（Ｓ１０４）する。つまり、この例の場合、スポットライト照明装置１５の点灯に蒸気発生装置２２の作動が連動することになり、蒸気発生装置２２の作動開始温度が予め設定されることから、例えば浴室１内の室温が所定温度になるまで、スポットライト照明装置１５の照明状態が例えば最も寒色系の色を示して変化しない状態に設定され、浴室１内の現在の室温を入浴者等に一層明確に認識させることができる。
【００３９】
この例の浴室照明装置においても、スポットライト照明装置１５の照明状態で浴室１内の室温を浴室１外から認識できて、上記例と同様の作用効果が得られる他に、浴室１内を暖房する蒸気発生装置２２が連動するため、例えば蒸気発生装置２２作動用のスイッチ操作が不要となり、浴室照明装置の操作性を一層向上させることができるという作用効果が得られる。
【００４０】
ところで、この例においては、スポットライト照明装置１５と蒸気発生装置２２を室温に基づいて連動させるようにしたが、例えば室温に基づいて浴室１内に設置される図示しない浴室換気扇や放熱器等と関連付けて作動させるように構成することもできる。また、制御装置１６のマイコン２０やリモコン１７のマイコン２６で実行される室温検知プログラムは、上記した各例に限定されるものでもなく、各例の一部を組み合わせたり、他の適宜のフローチャートを採用することができる。
【００４１】
なお、上記実施形態においては、浴室１内に設置されるリモコン１７に１つの温度センサ２３を設け、この温度センサ２３の検知信号に基づいて２個のスポットライト照明装置１５の照明状態を同じ態様で変化させたが、本発明はこれに限定されず、例えば浴室１内の壁パネル３ｃ内面の適宜位置に温度センサ２３を取り付けこの温度センサ２３の検知信号でスポットライト照明装置１５をそれぞれ制御するようにしても良いし、浴室１の適宜箇所に複数の温度センサ２３を設け、これらの検知温度に基づいて２個のスポットライト照明装置１５を同じ態様もしくは異なる態様で制御することもできる。
【００４２】
また、上記実施形態においては、温度センサ２３で検知された室温に基づいて、照明手段としての２個のスポットライト照明装置１５の照明状態をそれぞれ制御したが、例えば１個のスポットライト照明装置１５を配置してその照明状態を制御したり、検知信号に基づいて照明手段としての主照明装置１２の照明状態を制御したり、あるいはスポットライト照明装置１５と主照明装置１２を共に制御することもできる。また、照明手段としての専用の照明装置を所定位置に配置して、その照明状態を制御することもできる。
【００４３】
さらに、上記実施形態においては、浴室１内の室温に基づく照明状態を透光性の浴室ドア１８を通して入浴者等が視認することにより、浴室１内の室温を浴室１外で認識できるように構成したが、例えば浴室１内の室温に基づいて制御される各種照明装置の状態と略同一に点灯する表示灯を例えば脱衣場等に設けることで、浴室１内の照明状態（すなわち室温）を浴室ドア１８越しではなく直接認識する構成とすることもできる。また、上記実施形態における、スポットライト照明装置１５の配置位置や個数、ミラーパネル１４の形状等の浴室１内部の構成、リモコン１７の形状や配置位置等も一例であって、本発明に係わる各発明の要旨を逸脱しない範囲において適宜に変更することができる。
【００４４】
【発明の効果】
以上詳述したように、請求項１に記載の発明によれば、室温検知手段で検知された浴室内の室温に基づいて、制御手段により調光可能な照明手段が制御されるため、浴室内の照明状態を室温に応じた明るさや色等に設定でき、この照明状態を入浴者等が浴室外から視認することで、入浴者が実際の室温を誤認して浴室内に入ってしまうことを防止することができて、季節に係わらず最適室温での快適かつ安全な入浴を行うことが可能になる。
【００４５】
また、請求項２に記載の発明によれば、請求項１に記載の発明の効果に加え、制御手段により室温の検知信号が予め設定した基準値と比較されて照明手段の照明が寒色系か暖色系に設定されるため、入浴者による浴室内の室温の視認を一層確実に行うことができる。
【００４６】
また、請求項３に記載の発明によれば、請求項１または２に記載の発明の効果に加え、照明手段の調光状態が検知された室温に基づいて段階的あるいは連続的に変化するため、照明手段の照明状態、すなわち室温を入浴者が浴室外から確実かつ容易に認識することができる。
【００４７】
また、請求項４に記載の発明によれば、請求項１ないし３に記載の発明の効果に加え、照明手段を操作し得るリモコンに室温検知手段が一体的に設けられているため、室温検知手段で浴室内の最適位置の室温を検知することができて、入浴者が浴室へ入る際の室温を容易に最適温度とすることができる。
【００４８】
また、請求項５に記載の発明によれば、請求項１ないし４に記載の発明の効果に加え、照明手段の光が浴槽内に照射され浴室内に写し出される反射光の状態が検知された室温に応じて変化するため、浴室内の照明手段の照明状態を浴室外にいる入浴者がより一層確実かつ容易に認識することができる。
【００４９】
また、請求項６に記載の発明によれば、請求項１ないし５に記載の発明の効果に加え、室温検知手段で検知された室温に基づき、照明手段と関連付けられて浴室内に設置される暖房手段が作動するため、室温に応じて暖房手段を作動させつつ照明手段の照明状態を制御することができて、装置の操作性向上が図れると共に室温管理が効率的に行える等の効果を奏する。
【図面の簡単な説明】
【図１】本発明に係わる浴室照明装置を使用した浴室の概略構成図
【図２】同そのブロック図
【図３】同リモコンの分解斜視図
【図４】同リモコンのブロック図
【図５】同その基本的動作の一例を示すフローチャート
【図６】同その説明図
【図７】同他の動作を示すフローチャート
【図８】同さらに他の動作を示すフローチャート
【符号の説明】
１・・・・・・・・・・浴室
３ａ〜３ｄ・・・・・・壁パネル
４・・・・・・・・・・天井パネル
５・・・・・・・・・・浴槽
１２・・・・・・・・・主照明装置
１５・・・・・・・・・スポットライト照明装置
１６・・・・・・・・・制御装置
１７・・・・・・・・・リモコン
１８・・・・・・・・・浴室ドア
１９・・・・・・・・・照明スイッチ
２０・・・・・・・・・マイコン
２１・・・・・・・・・電源ユニット
２２・・・・・・・・・蒸気発生装置
２３・・・・・・・・・温度センサ
２４・・・・・・・・・スリット
２６・・・・・・・・・マイコン
２７・・・・・・・・・通信回路
【図１】
2004220992.tif 000003
【図２】
2004220992.tif 000004
【図３】
2004220992.tif 000005
【図４】
2004220992.tif 000006
【図５】
2004220992.tif 000007
【図６】
2004220992.tif 000008
【図７】
2004220992.tif 000009
【図８】
2004220992.tif 000010